(57)【要約】【課題】部品点数を少なくし且つ簡易な構成とした上でコスト低減を図ることができ、作業者にとって作業性を向上させたモップ把持具を提供する。【解決手段】一対の対向片を備えた第一連結体と、対向片間で軸支される連結部を備えた第二連結体とで構成され、第一連結体又は第二連結体の一方に、ヘッドが延設され、他方にハンドルが延設されたモップ把持具において、大径部と、大径部の一端面から延出した小径部とで構成された軸体を備え、一方の対向片に小径部を挿入する貫通穴が穿設され、連結部に大径部を回転規制して軸方向に移動可能に挿入する非貫通穴が穿設され、大径部又は一方の対向片の何れか一方に係合突起が突設され、他方に係合突起と係合する係合凹部が形成され、軸体が付勢されて係合突起と係合凹部とが係合し、軸体を軸方向に押圧することで係合を解除するように構成されてなる。【選択図】　　　　　図２
2004073223.tif 000002
【特許請求の範囲】
【請求項１】
所定間隔を有して対向した一対の対向片を備えた第一連結体と、一対の対向片間に介装されて軸支される連結部を備えた第二連結体とで構成され、第一連結体又は第二連結体の何れか一方に、モップの取り付けられるヘッドが延設されるとともに、他方に作業者の把持するハンドルが延設され、ハンドルに対してヘッドが傾動可能なモップ把持具において、大径部と、該大径部の一端面から延出した小径部とで構成された軸体を備え、前記一対の対向片の一方には、前記小径部を挿入する貫通穴が穿設されるとともに、前記連結部には、前記大径部を周方向の回転を規制して軸方向に移動可能に挿入する非貫通穴が穿設され、しかも前記大径部の一端面、又は該一端面と対向する一方の対向片の対向面の何れか一方に、少なくとも一つ以上の係合突起が形成されるとともに、他方に該係合突起と係合可能な少なくとも二つ以上の係合凹部が、軸体の周方向で所定間隔を有して形成され、前記軸体が軸方向で一方の対向片に向けて付勢されて係合突起と係合凹部とが係合する一方、軸体を軸方向で他方の対向片に向けて押圧することで係合を解除するように構成されてなることを特徴とするモップ把持具。
【請求項２】
他方の対向片の対向面、又は前記連結部の何れか一方に、前記非貫通穴と同心の軸部が突設されるとともに、他方に該軸部を支持する支持穴が形成されてなる請求項１記載のモップ把持具。
【請求項３】
前記軸体は、非貫通穴に内挿されたバネにより付勢されてなる請求項１又は２記載のモップ把持具。
【請求項４】
前記軸体の大径部の外周面、及び非貫通穴の内周面には、スプラインが形成され、該スプライン同士の係合により軸体の回転が規制されてなり、前記係合凹部が大径部のスプライン溝で構成されてなる請求項１乃至３の何れかに記載のモップ把持具。
【発明の詳細な説明】
【０００１】
【発明の属する技術分野】
本発明は、室内等の清掃を行うべく、モップを取り付けて使用するモップ把持具に関する。
【０００２】
【従来の技術】
従来から、一部に開口が形成された袋状のモップを取り付けて室内等の清掃に使用するモップ把持具が周知である。かかるモップ把持具は、作業者が把持する棒状のハンドルと、前記モップ内に挿入するヘッドと、該ヘッドをハンドルに対して所定角度で傾動可能に連結する連結体とで構成されている。
【０００３】
前記連結体は、前記ハンドルの一端部に取り付けられる第一連結体と、前記ヘッドが取り付けられる第二連結体と、該第二連結体を第一連結体に枢着する軸体とで構成されている。
【０００４】
前記第一連結体は、所定間隔を有して対向した一対の対向片を有しており、該一対の対向片のそれぞれには、同心の貫通穴が穿設され、一方の対向片の貫通穴の内周面には、周方向に所定間隔を有して複数の位置決凹部が形成されている。
【０００５】
第二連結体は、前記一対の対向片間に介装される連結部を有しており、該連結部には、前記一対の対向片間に介装させた状態で、前記貫通穴と同心となる貫通した段付穴が穿設されている。また、連結部における段付穴の小径穴の内周面には、前記位置決凹部の配置と対応するように、周方向に所定間隔を有して複数の係合凹部が形成されている。
【０００６】
前記軸体は、段付穴の大径穴に遊嵌される第一軸と、小径穴に挿入される第二軸とで構成されており、該第一軸及び第二軸は、段付穴内で一端同士が連結するように構成されている。また、第一軸及び第二軸のそれぞれ他端部には、フランジが形成されている。
【０００７】
前記第二軸は、外周面に前記位置決凹部及び係合凹部の配置に対応して周方向に所定間隔を有して軸方向に延びる複数の係合突起が形成されている。
【０００８】
上記構成の軸体は、前記第一軸にコイルバネを外嵌して大径部に遊挿するとともに、前記位置決凹部及び係合凹部内に係合突起を位置させるように、第二軸を小径穴に挿入して段付穴内で互いに連結することで、前記係合突起が係合凹部と係合した状態となる。したがって、上記状態では、ヘッドがハンドルに対して位置決め（固定）された状態をなしている。一方、第一軸のフランジを、軸心方向で第二軸側に押圧すると、軸体自身が軸方向に移動して係合突起と係合凹部との係合が解除され、ヘッドがハンドルに対して傾動可能な状態となる。そして、ヘッドを前記係合突起と係合凹部との配置位置に対応するように傾動させた後に、第一軸の押圧を解除するとコイルバネによる付勢力により、係合突起と係合凹部とが係合して、ヘッドが姿勢変更した状態で固定することができる。
【０００９】
これにより、清掃を行う場所（対象物の配置）に対応させて、ヘッドに取り付けたモップをハンドルに対して姿勢変更させることができ、作業者が無理な姿勢で清掃するのを防止することができる。
【００１０】
【発明が解決しようとする課題】
しかしながら、上述の如く、上記構成のモップ把持具は、第二軸が他方の対向片から外部に向けて突出させるように軸体全体を軸方向に移動させなければ、係合突起と係合凹部との係合が解除されないため、作業者がヘッドを傾動させるべく、第一軸を軸方向に押圧しても、該作業者が他方の対向片とともに第二軸のフランジを把持していると、軸体の移動が阻害され、係合突起と係合突起との係合を解除することができず、操作性に不便を感じることがあった。
【００１１】
また、上記構成のモップ把持具は、軸体が第一軸と第二軸とを連結部の段付穴内で連結させるような構成であるため、部品点数が多く、また構造が複雑であり、コストの高騰を招くものであった。
【００１２】
そこで、本発明は、斯かる実情に鑑み、部品点数を少なくし、且つ簡易な構成とした上で、コスト低減を図ることができ、しかも作業者にとって作業性を向上させたモップ把持具を提供することを課題とする。
【００１３】
【課題を解決するための手段】
本発明にかかるモップ把持具は、上記課題を解決すべくなされたもので、請求項１記載の如く、所定間隔を有して対向した一対の対向片を備えた第一連結体と、一対の対向片間に介装されて軸支される連結部を備えた第二連結体とで構成され、第一連結体又は第二連結体の何れか一方に、モップの取り付けられるヘッドが延設されるとともに、他方に作業者の把持するハンドルが延設され、ハンドルに対してヘッドが傾動可能なモップ把持具において、大径部と、該大径部の一端面から延出した小径部とで構成された軸体を備え、前記一対の対向片の一方には、前記小径部を挿入する貫通穴が穿設されるとともに、前記連結部には、前記大径部を周方向の回転を規制して軸方向に移動可能に挿入する非貫通穴が穿設され、しかも前記大径部の一端面、又は該一端面と対向する一方の対向片の対向面の何れか一方に、少なくとも一つ以上の係合突起が形成されるとともに、他方に該係合突起と係合可能な少なくとも二つ以上の係合凹部が、軸体の周方向で所定間隔を有して形成され、前記軸体が軸方向で一方の対向片に向けて付勢されて係合突起と係合凹部とが係合する一方、軸体を軸方向で他方の対向片に向けて押圧することで係合を解除するように構成されてなることを特徴とする。
【００１４】
上記構成のモップ把持具によれば、軸体の大径部の一端面、又は該一端面と対向する一方の対向片の対向面の何れか一方に、係合突起が形成され、他方に該係合突起と係合可能な係合凹部が形成され、しかも軸体（大径部）は、周方向の回転が規制されるとともに、軸方向に付勢されて非貫通穴に軸方向で移動可能に挿入されているので、小径部を他方の対向片側に押圧すれば、軸体が連結部内に内装された状態で、軸体と対向片との係合が解除されて、ヘッドをハンドルに対して傾動可能とすることができる。したがって、軸体を軸方向に移動させる際（押圧する際）に、軸体が他方の対向片から突出することがないので、作業者が他方の対向片を把持していても、係合突起と係合凹部との係合を解除することができ、ヘッドをハンドルに対して軸体回りで回動させることができる。これにより、操作性の向上したモップ把持具を提供することができる。
【００１５】
また、一本の軸体を連結部に内挿する構成としたので、部品点数が少なく、且つ構成を簡易のものとすることができ、コストを低減することができる。すなわち、一本の軸体で、第二連結体を軸支する支持軸として作用させるとともに、第一連結体と第二連結体との位置決めを可能としたので、シンプルな構造とすることができる。
【００１６】
さらに、請求項２記載の如く、他方の対向片の対向面、又は前記連結部の何れか一方に、前記非貫通穴と同心の軸部が突設されるとともに、他方に該軸部を支持する支持穴が形成されてもよい。このようにすれば、ヘッドの傾動を安定したものにすることができるとともに、軸体のみで第二連結体を軸支する場合に比して、頑丈なものとすることができる。
【００１７】
また、請求項３記載の如く、前記軸体は、非貫通穴に内挿されたバネにより付勢されれば、シンプルな構成で軸体を効率よく付勢することができる。
【００１８】
さらに、請求項４記載の如く、前記軸体の大径部の外周面、及び非貫通穴の内周面には、スプラインが形成され、該スプライン同士の係合により軸体の回転が規制されてなり、前記係合凹部が大径部のスプライン溝で構成されてもよい。このようにすれば、第二連結体の連結部に対して周方向の回転を規制し、且つ軸方向で移動可能な状態で軸体を前記非貫通穴に内挿することができ、その上、別個に係合凹部を形成する必要がなく、軸体をシンプルな構成にすることができる。
【００１９】
【発明の実施の形態】
以下、本発明の一実施形態にかかるモップ把持具について、添付図面を参酌しつつ説明する。図１は、本実施形態にかかるモップ把持具の全体斜視図を示し、図２は、該モップ把持具の分解斜視図を示している。なお、本実施形態にかかるモップ把持具１に取り付けられるモップＭは、一端に開口を形成した袋状をなしたものであり、開口端部の内面に、面ファスナーＦａ，Ｆｂの一方である雌側のファスナーＦａが取り付けられている。
【００２０】
かかるモップ把持具１は、作業者が把持する棒状のハンドル２と、該ハンドル２の一端部に取り付けられる第一連結体３と、前記モップＭが取り付けられるヘッド４と、該ヘッド４に連設された第二連結体５と、第二連結体５を第一連結体３に対して傾動可能に枢着するとともに、第一連結体３に対して第二連結体５（ヘッド４）を所定角度で位置決めする軸体６とで構成されている。
【００２１】
前記ハンドル２は、軸方向に伸縮自在に構成されており、一端部が前記第一連結体３に取り付けられる第一管体７と、該第一管体７に外嵌される第二管体８と、該第二管体８の一端部に外嵌され、作業者が把持する把持部９とで構成されている。
【００２２】
該ハンドル２は、前記第二管体８の内径が前記第一管体７の外径と略同等に設定されており、該第二管体８が前記第一管体７に対して軸方向に移動可能に外嵌されて、該ハンドル２自身の長さの調整が可能となっている。
【００２３】
前記第一連結体３は、棒状のハンドル２が取り付けられる取付部１０と、該取付部１０から延出した一対の対向片である一対の腕部１１ａ，１１ｂとで構成されている。
【００２４】
前記取付部１０は、裁頭四角錐状をなしており、裁頭面である一端面には、前記ハンドル２の一端部を嵌入する取付穴Ｈ（図３参照）が穿設されている。
【００２５】
前記一対の腕部１１ａ，１１ｂのそれぞれは、板状に形成されており、所定間隔を有して互いの一方の面同士を対向させるように、一端部が前記取付部１０の他端面に接続されている。
【００２６】
一方の腕部１１ａには、板厚方向に貫通した貫通穴１２が穿設されるとともに、該貫通穴１２近傍における他方の腕部１１ｂとの対向面に、前記貫通穴１２の周方向に所定間隔を有して複数の係合突起１３が突設されている。
【００２７】
他方の腕部１１ｂにおける一方の腕部１１ａとの対向面には、他端部から一端に向けて所定幅の溝１４が形成されている。該溝１４における他方の腕部１１ｂの一端側の端部には、前記貫通穴１２と同心で対向し、且つ腕部１１ｂの厚み方向に非貫通状態の支持穴２７が、該溝１４と連続して穿設されている。
【００２８】
前記ヘッド４及び第二連結体５は、樹脂により一体成形されている。前記ヘッド４は、Ｕ字状に湾曲した棒状体からなる湾曲部１５と、該湾曲部１５の両端同士を連結する棒状の棒状連結部１６とで構成されている。
【００２９】
前記第二連結体５は、前記ヘッド４の前記棒状連結部１６に一端が接続され、該棒状連結部１６から延出した接続部１７と、該接続部１７の他端から延出した連結部１８とで構成されている。前記接続部１７は、棒状連結部１６の略中央部における前記湾曲部１５の反対側に延設されている。該接続部１７の外周には、面ファスナーＦａ，Ｆｂの他方である雄側のファスナーＦｂが巻回されて固定されている。
【００３０】
前記連結部１８は、両端面間の長さが前記一対の腕部１１ａ，１１ｂ間の間隔に対応した円柱体で構成されている。該連結部１８は、軸心が前記棒状連結部１６と略平行をなすように、外周面の一部が前記接続部１７と接続された状態をなしている。また、該連結部１８は、所定深さの非貫通穴１９が一端面に開口を形成して軸心方向に穿設されている。該非貫通穴１９の内周面には、前記複数の係合突起１３の配置に対応して周方向に所定間隔を有し、軸方向に延びる複数のスプライン溝２０が形成されている。さらに、連結部１８の他端面には、前記非貫通穴１９の穴心と同心の円柱状の軸部２１が延設されている。
【００３１】
前記軸体６は、段付き軸からなり、前記非貫通穴１９に挿入される有底筒状の大径部２２と、該大径部２２の底部における外面（一端面）に延設され、前記一方の腕部１１ａの貫通穴１２に挿入される小径部２３とで構成されている。
【００３２】
前記大径部２２は、有底筒状をなしており、前記非貫通穴１９のスプライン溝２０に嵌合される複数のスプライン２４が、前記非貫通穴１９のスプライン溝２０の配置に対応すべく、周方向に所定間隔を有し、且つ全長にかけて軸方向に延びるように外周面に形成されている。具体的には、複数のスプライン２４は、前記係合突起１３を嵌め込むことのできる幅を有する複数のスプライン溝を形成し、且つ非貫通穴１９のスプライン溝２０に、軸方向に移動可能なように嵌め込め得るように形状設定されている。
【００３３】
前記小径部２３は、前記大径部２２に比して小径で、且つ前記貫通穴１２の内径に対応した外径の円柱体であり、前記大径部２２の軸心と同心で、大径部２２の一端面に延設されている。具体的には、小径部２３は、大径部２２のスプライン２４の端部（実際には、複数のスプライン２４により形成されたスプライン溝の端部）が、大径部２２の一端面で露呈し得る径に設定されている。
【００３４】
上記構成の軸体６は、図３に示す如く、大径部２２の内穴にバネ２５（コイルバネ）を挿入して大径部２２が前記非貫通穴１９内に挿入された状態で、小径部２３が第一連結体３の一方の腕部１１ａの貫通穴１２に挿入される。この状態で、軸体６がコイルバネ２５により一方の腕部１１ａ側に付勢されて前記係合突起１３が、大径部２２の一端面から露呈するスプライン２４間に形成されたスプライン溝の端部（以下、この部分を係合凹部２６という）内に位置し、係合突起１３と該係合凹部２６とが係合するとともに、第二連結体５の連結部１８に形成された軸部２１が、第一連結体３の他方の腕部１１ｂに形成された溝１４の支持穴２７内に位置する。したがって、複数のスプライン２４により大径部２２の一端面に形成された係合凹部２６が、前記係合突起１３と係合して、ヘッド４がハンドル２に対して所定位置で位置決めされた状態で、前記軸体６の小径部２３、及び軸部２１によって、第二連結体５が第一連結体３に軸支されて状態となる。すなわち、前記第二連結体５の第一連結体３に対する組み付けは、軸体６を非貫通穴１９内に押し込んだ状態で、軸部２１が支持穴２７に嵌り込むように、軸部２１を他方の腕部１１ｂの溝１４に沿わせて移動させることにより行われる。したがって、軸部２１が支持穴２７に嵌り込んだ際に、小径部２３が貫通穴１２と同一軸心上に位置するので、コイルバネ２５によって付勢された軸体６の小径部２３が貫通穴１２に挿入されることとなり、第二連結体５が、軸体６（小径部２３）及び軸部２１を介して第一連結体３に軸支された（組み付けられた）状態となる。
【００３５】
上記構成のモップ把持具１で室内等の清掃を行う場合には、モップＭ内に前記ヘッド４を挿入し、モップＭの内面に取り付けた雌側のファスナーＦａと、接続部１７に取り付けた雄側のファスナーＦｂとを貼着するとともに、清掃箇所に対応してハンドル２の長さを適宜調整する。
【００３６】
そして、作業者が無理な姿勢で清掃することのないように、ヘッド４（モップＭ）をハンドル２に対して所定角度に傾斜させる。具体的には、軸体６の小径部２３の端面を軸方向に押圧し、大径部２２（軸体６）を他方の腕部１１ｂに向けて非貫通穴１９内のみで移動させると、大径部２２における一端面の係合凹部２６と係合突起１３との係合が解除され、ヘッド４（第二連結体５）をハンドル２（第一連結体３）に対して回動させ得る状態となる。その後、ハンドル２に対してヘッド４が所望角度（所望する姿勢）となるように、非貫通穴１９のスプライン溝２０と大径部２２のスプライン２４との係合により回転が規制された軸体６とともにヘッド４を回動させ、スプライン２４間（軸体６におけるスプライン溝）の配置位置（係合凹部２６の配置位置）と係合突起１３との配置位置を対応させた状態で、軸体６に対する押圧を解除すると、軸体６がコイルバネ２５の付勢により一方の腕部１１ａ側に移動して、大径部２２の係合凹部２６と係合突起１３とが再度係合し、ハンドル２に対して所望する姿勢でヘッド４が位置決め（固定）される。
【００３７】
以上のように、本実施形態にかかるモップ把持具１は、第二連結体５を第一連結体３に対して位置決めするとともに軸支する軸体６を、第二連結体５の連結部１８の非貫通内のみで移動させるように構成したので、ヘッド４をハンドル２に対して傾動させるべく軸体６を押圧しても、該軸体６が他方の腕部１１ｂから外部に突出することがない。したがって、該モップ把持具１は、作業者が他方の腕部１１ｂを把持していても、係合突起１３と軸体６の係合凹部２６との係合を解除することができるので、ヘッド４を軸体６を中心にして容易に傾動（回動）させることができ、操作性を向上させることができる。
【００３８】
また、本実施形態にかかるモップ把持具１は、一本の軸体６で第二連結体５の第一連結体３に対する位置決め（大径部２２の係合凹部２６と係合突起１３との係合、及び係合の解除）を可能にするとともに、第二連結体５を第一連結体３に軸支するようにしたので、部品点数を少なくした上で、構造をシンプルすることができ、コストを低減することができる。
【００３９】
さらに、第二連結体５の接続部１７の外周、及びモップＭの開口部近傍の内面のそれぞれに、面ファスナーＦａ，Ｆｂを設けたので、該モップ把持具１に対するモップＭの取り付けを容易且つ確実なものにすることができる。
【００４０】
尚、本発明のモップ把持具は、上記実施形態に限定されるものではなく、本発明の要旨を逸脱しない範囲内において種々変更を加え得ることは勿論である。
【００４１】
本実施形態において、第二連結体５とヘッド４とを一体成形するとともに、第一連結体３にハンドル２を取り付けるようにしたが、第一連結体３とヘッド４とを一体成形し、第二連結体５にハンドル２を取り付けるようにしても勿論よい。
【００４２】
また、本実施形態において、第二連結体５とヘッド４とを一体成形したが、第二連結体５は、ヘッド４と一体成形したものに限定されるものではなく、ヘッド４と別個に形成し、該ヘッド４と取り付けるようにしたものであってもよい。
【００４３】
本実施形態において、第二連結体５の連結部１８の他端面に軸部２１と突設したが、該軸部２１は、必ずしも必要はなく、軸体６の小径部２３のみで第二連結体５を軸支してもよい。この場合、腕部に形成された貫通穴１２と小径部２３との挿入深さを十分に確保し、コイルバネ２５の付勢力を大きくすることが好ましい。
【００４４】
また、本実施形態において、軸体６の大径部２２にスプライン溝２０を形成し、該大径部２２の一端面に係合凹部２６を形成したが、該係合凹部２６は、必ずしもスプライン溝２０により形成されるものに限定されるものではなく、軸体６の周方向の回転を規制する規制手段と、係合用の凹部（係合凹部）とを別個に形成しても勿論よい。したがって、この場合における軸体６の回転を規制する規制手段は、連結部１８のスプライン２４と軸体６のスプライン２４とを係合させるものに、限定されるものではなく、例えば、軸体６の回転をキーにより規制するようにしてもよい。つまり、軸体６は、回転が規制されるとともに軸方向に移動可能に構成されればよい。
【００４５】
本実施形態において、大径部２２の一端面に係合凹部２６を形成し、一方の腕部１１ａの対向面に係合突起１３を形成したが、大径部２２の一端面に係合突起を形成し、一方の腕部１１ａの対向面に係合凹部を形成しても勿論よい。
【００４６】
本実施形態において、ヘッド４を棒状のもので湾曲部１５と連結部１８とを形成したが、該ヘッド４は、棒状のもので外郭を形成したものに限定されるものではなく、モップＭに挿入し得るもの、例えば、モップＭの内部形状に対応した板材であってもよい。
【００４７】
【発明の効果】
以上のように、本発明にかかるモップ把持具によれば、第二連結体を第一連結体に対して位置決め、及び位置決めの解除を行うとともに軸支する軸体を、連結部の非貫通内のみで移動させるように構成し、ヘッドをハンドルに対して傾動させるべく軸体を押圧しても、軸体が他方の腕部から外部に突出することのないように構成したので、作業者が他方の対向片を把持していても、係合突起と係合凹部との係合を解除することができ、操作性の向上したものとすることができる。
【００４８】
また、一本の軸体により、第一連結体を第二連結体に対して位置決めするとともに軸支するようにしたので、部品点数が少なく、且つ構成を簡易なものとすることができ、コストを低減することができる。
【図面の簡単な説明】
【図１】本発明の一実施形態にかかるモップ把持具の全体斜視図を示す。
【図２】同実施形態にかかるモップ把持具の分解斜視図を示す。
【図３】同実施形態にかかる第一連結体、第二連結体、及び軸体を組み付けた状態の部分断面図を示す。
【符号の説明】
１…モップ把持具、２…ハンドル、３…第一連結体、４…ヘッド、５…第二連結体、６…軸体、７…第一管体、８…第二管体、９…把持部、１０…取付部、１１ａ，１１ｂ…腕部（対向片）、１２…貫通穴、１３…係合突起、１４…溝、１５…湾曲部、１６…棒状連結部、１７…接続部、１８…連結部、１９…非貫通穴、２０…スプライン溝、２１…軸部、２２…大径部、２３…小径部、２４…スプライン、２５…コイルバネ（バネ）、２６…係合凹部、２７…支持穴、Ｆａ…雌側のファスナー（面ファスナー）、Ｆｂ…雄側のファスナー（面ファスナー）Ｈ…取付穴、Ｍ…モップ
【図１】
2004073223.tif 000003
【図２】
2004073223.tif 000004
【図３】
2004073223.tif 000005